(57)【要約】【課題】幅広い層の使用者に合わせることができ、初心者にとって使いやすいゴルフクラブを作製可能なゴルフクラブヘッドを提供すること。【解決手段】本ゴルフクラブヘッドは、フェース部と、ソール部と、ホゼル部と、を有するゴルフクラブヘッドであって、前記ソール部は、第１重量部材を着脱可能な重量受け部を有し、前記重量受け部に前記第１重量部材を係合させたときの第１のヘッド重心と、前記重量受け部から前記第１重量部材を除去したときの第２のヘッド重心と、を有し、前記ホゼル部の外面を前記ホゼル部の穴の中心軸の延長線に沿って前記ソール部側に延長した領域を規定したときに、前記領域内に、前記第１のヘッド重心、前記第２のヘッド重心、及び前記第１重量部材の重心が位置する。【選択図】図３
2019187979.tif 000002
【特許請求の範囲】
【請求項１】
フェース部と、ソール部と、ホゼル部と、を有するゴルフクラブヘッドであって、
前記ソール部は、第１重量部材を着脱可能な重量受け部を有し、
前記重量受け部に前記第１重量部材を係合させたときの第１のヘッド重心と、前記重量受け部から前記第１重量部材を除去したときの第２のヘッド重心と、を有し、
前記ホゼル部の外面を前記ホゼル部の穴の中心軸の延長線に沿って前記ソール部側に延長した領域を規定したときに、
前記領域内に、前記第１のヘッド重心、前記第２のヘッド重心、及び前記第１重量部材の重心が位置することを特徴とするゴルフクラブヘッド。
【請求項２】
前記延長線は、前記第１のヘッド重心及び前記第２のヘッド重心を通り、更に、前記第１重量部材の重心を通ることを特徴とする請求項１に記載のゴルフクラブヘッド。
【請求項３】
フェース部と、ソール部と、ホゼル部と、を有するゴルフクラブヘッドであって、
前記ソール部は、第１重量部材を着脱可能な重量受け部を有し、
前記重量受け部に前記第１重量部材を係合させたときの第１のヘッド重心を有し、
前記第１重量部材は、柱状部を有し、
前記ホゼル部の外面を前記ホゼル部の穴の中心軸の延長線に沿って前記ソール部側に延長した領域を規定したときに、
前記領域内に、前記第１のヘッド重心が位置し、
前記柱状部の中心軸は、前記延長線と平行であり、前記領域内に位置することを特徴とするゴルフクラブヘッド。
【請求項４】
前記柱状部の中心軸と前記延長線とが同軸上にあることを特徴とする請求項３に記載のゴルフクラブヘッド。
【請求項５】
フェース部と、ソール部と、ホゼル部と、を有するゴルフクラブヘッドであって、
前記ソール部は、第１重量部材を着脱可能な重量受け部を有し、
前記第１重量部材は、頭部と、前記頭部の一方の側に設けられた柱状部と、を備え、
前記重量受け部に前記第１重量部材を係合させたときの第１のヘッド重心を有し、
前記ホゼル部の外面を前記ホゼル部の穴の中心軸の延長線に沿って前記ソール部側に延長した領域を規定したときに、
前記領域内に前記第１のヘッド重心が位置し、前記延長線が前記頭部を通ることを特徴とするゴルフクラブヘッド。
【請求項６】
前記頭部の最大幅Ｗは５ｍｍ以上３０ｍｍ以下であることを特徴とする請求項５に記載のゴルフクラブヘッド。
【請求項７】
前記重量受け部に着脱可能な第２重量部材を備え、
前記第２重量部材は前記第１重量部材と交換可能であることを特徴とする請求項１乃至６の何れか一項に記載のゴルフクラブヘッド。
【請求項８】
前記フェース部の上端と前記ソール部の後端とを繋ぐクラウン部を有し、
前記フェース部、前記ソール部、及び前記クラウン部によって画定された中空構造を有することを特徴とする請求項１乃至７の何れか一項に記載のゴルフクラブヘッド。
【請求項９】
前記重量受け部に着脱可能な第２重量部材を備え、
前記第２重量部材は前記第１重量部材と交換可能であり、
前記第２重量部材は、前記第１重量部材と中心軸方向の長さが異なり、
前記第２重量部材と前記第１重量部材とは、同一の材料から形成されていることを特徴とする請求項３に記載のゴルフクラブヘッド。
【発明の詳細な説明】
【技術分野】
【０００１】
本発明は、ゴルフクラブヘッドに関する。
【背景技術】
【０００２】
様々なゴルフクラブが市場に流通しているが、ゴルフの初心者にとって使いやすいゴルフクラブは稀である。その原因と一つとして、ゴルフクラブシャフトの中心軸の延長線上にヘッド重心がないことが挙げられる。
【先行技術文献】
【特許文献】
【０００３】
【特許文献１】特開２０１７−００６７７号公報
【特許文献２】特公平０７−１２１２８５号公報
【特許文献３】特許第３４６６５１０号
【特許文献４】特許第５２２１３１０号
【特許文献５】特許第４３９５４５２号
【発明の概要】
【発明が解決しようとする課題】
【０００４】
本発明は、幅広い層の使用者に合わせることができ、初心者にとって使いやすいゴルフクラブを作製可能なゴルフクラブヘッドを提供することを目的とする。
【課題を解決するための手段】
【０００５】
本ゴルフクラブヘッドは、フェース部と、ソール部と、ホゼル部と、を有するゴルフクラブヘッドであって、前記ソール部は、第１重量部材を着脱可能な重量受け部を有し、前記重量受け部に前記第１重量部材を係合させたときの第１のヘッド重心と、前記重量受け部から前記第１重量部材を除去したときの第２のヘッド重心と、を有し、前記ホゼル部の外面を前記ホゼル部の穴の中心軸の延長線に沿って前記ソール部側に延長した領域を規定したときに、前記領域内に、前記第１のヘッド重心、前記第２のヘッド重心、及び前記第１重量部材の重心が位置することを要件とする。
【発明の効果】
【０００６】
開示の技術によれば、使用者の体力に合わせた調整が可能で、初心者にとって使いやすいゴルフクラブを作製可能なゴルフクラブヘッドを提供できる。
【図面の簡単な説明】
【０００７】
【図１】第１の実施の形態に係るゴルフクラブヘッド１を例示する図（その１）である。
【図２】第１の実施の形態に係るゴルフクラブヘッド１を例示する図（その２）である。
【図３】第１の実施の形態に係るゴルフクラブヘッド１のヘッド重心について説明する図である。
【図４】第２の実施の形態に係るゴルフクラブヘッド２のヘッド重心について説明する図である。
【図５】第３の実施の形態に係るゴルフクラブヘッド３のヘッド重心について説明する図である。
【発明を実施するための形態】
【０００８】
以下、図面を参照して、実施の形態の説明を行う。なお、各図面において、同一構成部分には同一符号を付し、重複した説明を省略する場合がある。
【０００９】
〈第１の実施の形態〉
図１は、第１の実施の形態に係るゴルフクラブヘッド１を例示する図（その１）であり、図１（ａ）は正面図、図１（ｂ）は平面図、図１（ｃ）は底面図、図１（ｄ）は左側面図、図１（ｅ）は右側面図である。
【００１０】
図２は、第１の実施の形態に係るゴルフクラブヘッド１を例示する図（その２）であり、図２（ａ）は正面側から視た斜視図、図２（ｂ）は底面側から視た斜視図、図２（ｃ）は背面側から視た斜視図である。また、図２（ｄ）は重量部材及び重量受け部を示す部分断面図（重量部材取付前）、図２（ｅ）は重量部材及び重量受け部を示す部分断面図（重量部材取付後）である。
【００１１】
図１及び図２では、フェース面１１ｆ側から視た図を正面図としており、ゴルフクラブヘッド１を水平面Ｈ（地面に相当）に基準のライ角θ及び基準のロフト角（図示せず）通りに接地した場合を図示している。なお、Ｊはホゼル部１５の穴１５ｘの中心軸を示している。また、矢印ｄ１はトウ−ヒール方向（左右方向）を、矢印ｄ２はトップ−ソール方向（上下方向）を、矢印ｄ３はフェース−バック方向（前後方向）を示している。
【００１２】
図１（ａ）から図２（ｃ）に示すように、ゴルフクラブヘッド１は、中空のゴルフクラブヘッドであって、シャフトを取り付けることで、例えば、練習用ゴルフクラブとして用いることができる。ゴルフクラブヘッド１は、例えば、チタン、チタン合金、ステンレス、アルミニウム、アルミニウム合金、鉄系金属、マグネシウム、マグネシウム合金、繊維強化樹脂等を用いて形成することができる。また、ゴルフクラブヘッド１は、複数の部品を接合して組み立ててもよい。以下、ゴルフクラブヘッド１について詳説する。
【００１３】
ゴルフクラブヘッド１は、フェース部１１と、クラウン部１２と、ソール部１３と、ホゼル部１５とを有する中空構造体である。なお、中空構造体の内側の面をヘッド内面、外側の面をヘッド外面と称する場合がある。
【００１４】
フェース部１１は、打撃面となるフェース面１１ｆを備えた部分である。なお、フェース部１１は所定の厚みを有しており、フェース面１１ｆはフェース部１１の外面をなしている。フェース面１１ｆには、トウ−ヒール方向を長手方向とする複数のスコアライン１１ｓ（フェース面１１ｆから窪む溝）が、所定間隔でトップ−ソール方向に配列されている。
【００１５】
クラウン部１２は、ゴルフクラブヘッド１の上部を形成する部分であり、フェース部１１の上端とソール部１３の後端とを繋いでいる。ソール部１３は、ゴルフクラブヘッド１の底部を形成する部分であり、フェース部１１の下端とクラウン部１２の後端とを繋いでいる。フェース部１１、クラウン部１２、及びソール部１３によって中空構造が画定されている。ホゼル部１５は、シャフトと連結される部分である。
【００１６】
クラウン部１２は、トップ側から視てフェース部１１のフェース面１１ｆに対して垂直方向（フェース−バック方向）に直線状に配置された、外部から視認可能な指標部１８を有している。指標部１８は、重量受け部２０と対向する位置に配置されている。指標部１８は、例えば、クラウン部１２の外面から内方に窪む凹部とすることができる。但し、これには限定されず、指標部１８は、クラウン部１２の外面から突起する凸部としてもよいし、クラウン部１２の外面に印刷等により形成してもよい。
【００１７】
フェース面１１ｆと垂直方向に指標部１８を設けることにより、指標部１８がアライメントマークとして機能するため、打者は飛球線方向を認識しやすくなる。すなわち、ゴルフクラブヘッド１を水平面に基準のライ角及び基準のロフト角通りに接地してアドレスし、指標部１８を飛球線方向と一致させることで、打者は飛球線方向に対してゴルフクラブヘッド１を精度よくアライメントすることができる。
【００１８】
なお、指標部１８は、外部から視認可能な位置であれば、クラウン部１２以外に設けても構わない。指標部１８は、例えば、フェース部１１の上端に設けることができる。
【００１９】
ソール部１３は、ヘッド重量調整用の重量部材３０（ウエイト）を着脱可能な重量受け部２０（ウエイトポート）を有している。
【００２０】
図２（ｄ）及び図２（ｅ）に示すように、重量受け部２０は、第１貫通孔２１と第２貫通孔２２とを備えた凹形状である。第１貫通孔２１はヘッド外面側に位置し、第２貫通孔２２はヘッド内面側に位置し、両者は同心的に設けられて互いに連通している。第２貫通孔２２の幅は第１貫通孔２１の幅よりも小さく、第２貫通孔２２の内壁面には雌ねじ２３が形成されている。第１貫通孔２１及び第２貫通孔２２の断面形状は、例えば、円形とすることができる。この場合、第１貫通孔２１は第２貫通孔２２よりも大径となる。
【００２１】
重量部材３０は、例えば、頭部３１と、頭部３１の一方の側に同心的に設けられた柱状部３２とを備えている。Ｋは重量部材３０の中心軸を示しており、頭部３１及び柱状部３２の各々の中心軸も中心軸Ｋと一致する。柱状部３２の幅は頭部３１の幅よりも小さく、柱状部３２の外壁面には雄ねじ３３が形成されている。頭部３１の最大幅Ｗは、例えば、５ｍｍ以上３０ｍｍ以下である。
【００２２】
頭部３１及び柱状部３２の断面形状は、例えば、円形とすることができる。この場合、頭部３１は柱状部３２よりも大径となる。但し、頭部３１の断面形状は、多角形等（四角形、六角形、八角形等）であっても構わない。なお、頭部３１の断面形状が円形である場合、頭部３１の最大幅Ｗは頭部３１の直径である。
【００２３】
重量部材３０の頭部３１及び柱状部３２は、重量受け部２０の第１貫通孔２１及び第２貫通孔２２に着脱可能な大きさに形成されている。頭部３１には、例えば六角形の溝３１１が設けられている。頭部３１の溝３１１にドライバ等の先端部を挿入して重量部材３０を回転させながら重量受け部２０に挿入することで、雌ねじ２３と雄ねじ３３とが係合し、重量部材３０が着脱可能な状態で重量受け部２０に固定される。
【００２４】
頭部３１及び柱状部３２の材料としては、例えば、チタン、チタン合金、ステンレス、アルミニウム、アルミニウム合金、鉄系金属、マグネシウム、マグネシウム合金、タングステン、樹脂等を用いることができる。重量部材３０は、互いに重量の異なる複数の種類を用意することができる。例えば、重量部材３０として、互いに重量が異なり交換可能な第１重量部材及び第２重量部材を用意し、ゴルフクラブヘッド１が所望の重量になるように、第１重量部材または第２重量部材を選択して重量受け部２０に装着することができる。もちろん、互いに重量の異なる３種以上の重量部材を用意しても構わない。
【００２５】
互いに重量の異なる重量部材を作製するには、例えば、両者を略同一形状とし、両者を互いに比重の異なる材料から形成すればよい。或いは、中心軸方向の長さを異ならせ（例えば、柱状部３２の長さを異ならせ）、両者を同一の材料から形成してもよい。なお、略同一形状とは、製造ばらつきで生じる寸法誤差を許容する意味合いである。
【００２６】
図３は、第１の実施の形態に係るゴルフクラブヘッド１のヘッド重心について説明する図であり、図３（ａ）はトウ−ヒール方向のヘッド重心の位置を示す図であり、図３（ｂ）はフェース−バック方向のヘッド重心の位置を示す図である。
【００２７】
図３において、ホゼル部１５の外面１５ａをホゼル部１５の穴１５ｘの中心軸Ｊの延長線に沿ってソール部１３側に延長した円筒状の領域を領域Ｅとして規定し、破線で示している。ホゼル部１５の外面１５ａが径の異なる部分を有する場合（テーパ状、階段状等）には、外面１５ａの最大径の部分をホゼル部１５の穴１５ｘの中心軸Ｊの延長線に沿ってソール部１３側に延長した円筒状の領域を領域Ｅとして規定することができる。
【００２８】
但し、ホゼル部１５が円筒状ではなく、六角形筒状、八角形筒状等の多角形筒状やその他の非円筒形状である場合には、領域Ｅも円筒状ではなくホゼル部１５の形状に従う。領域Ｅの最大幅（領域Ｅが円筒状である場合は領域Ｅの直径）は、例えば、１０ｍｍ以上２０ｍｍ以下である。
【００２９】
なお、ホゼル部１５の穴１５ｘの中心軸Ｊの延長線は、ホゼル部１５にシャフトを取り付けたときのシャフトの中心軸の延長線と一致する。
【００３０】
図３において、Ｇ１１は、重量受け部２０に重量部材３０を係合させたときのゴルフクラブヘッド１のヘッド重心である。また、Ｇ１２は、重量受け部２０に重量部材３０を係合させていないとき（重量受け部２０から重量部材３０を除去したとき）のゴルフクラブヘッド１のヘッド重心である。また、Ｇ１３は、重量部材３０の重心である。
【００３１】
図３に示すように、重量受け部２０に重量部材３０を係合させていない状態から重量部材３０を係合することで、ゴルフクラブヘッド１のヘッド重心Ｇ１２は中心軸Ｊの延長線に沿ってヘッド重心Ｇ１１に移動する。また、重量部材３０の重心Ｇ１３は、中心軸Ｊの延長線上に位置している。
【００３２】
このように、ゴルフクラブヘッド１は、重量受け部２０に重量部材３０を係合させたときのヘッド重心Ｇ１１と、重量受け部２０から重量部材３０を除去したときのヘッド重心Ｇ１２とを有する。そして、ホゼル部１５の穴１５ｘの中心軸Ｊの延長線がヘッド重心Ｇ１１及びヘッド重心Ｇ１２を通り、更に、重量部材３０の重心Ｇ１３を通る。
【００３３】
これにより、シャフトの中心軸とヘッド重心との距離である重心距離をゼロにしながら（すなわち、ヘッド重心をシャフトの中心軸と一致させながら）、ゴルフクラブヘッド１の重量を変えることができる。その結果、ゴルフクラブヘッド１にシャフトを取り付けることにより、ゴルフの初心者にも使いやすいゴルフクラブを実現でき、使用者に合わせたクラブスペックとすることで、老若男女を問わず使用できる練習用ゴルフクラブを実現できる。
【００３４】
なお、ゴルフクラブヘッド１のヘッド重心Ｇ１１及びＧ１２並びに重量部材３０の重心Ｇ１３が何れも中心軸Ｊの延長線上に位置していることが理想である。しかし、ゴルフクラブヘッド１のヘッド重心Ｇ１１及びＧ１２並びに重量部材３０の重心Ｇ１３が何れも領域Ｅ内に位置していればよい。この場合にも、重心距離を概ねゼロにしながらゴルフクラブヘッド１の重量を変えることができるため、上記の効果を得ることができる。
【００３５】
〈第２の実施の形態〉
第２の実施の形態では、重量受け部及び重量部材の位置（取付角度）が第１の実施の形態とは異なる例を示す。なお、第２の実施の形態において、既に説明した実施の形態と同一構成部についての説明は省略する場合がある。
【００３６】
図４は、第２の実施の形態に係るゴルフクラブヘッド２のヘッド重心について説明する図であり、トウ−ヒール方向のヘッド重心の位置を示す図である。なお、フェース−バック方向のヘッド重心の位置は図３（ｂ）と同様であるため、図示は省略する。
【００３７】
図４に示すように、ゴルフクラブヘッド２では、重量部材３０の中心軸Ｋ（図２（ｄ）参照）とホゼル部１５の穴１５ｘの中心軸Ｊの延長線とが同軸上にある。また、ゴルフクラブヘッド２のヘッド重心Ｇ２１と重量部材３０の重心Ｇ１３が何れも中心軸Ｊの延長線上に位置している。
【００３８】
これにより、シャフトの中心軸とヘッド重心との距離である重心距離をゼロにしながら（すなわち、ヘッド重心をシャフトの中心軸と一致させながら）、ゴルフクラブヘッド２の重量を変えることができる。その結果、ゴルフクラブヘッド２にシャフトを取り付けることにより、ゴルフの初心者にも使いやすいゴルフクラブを実現でき、使用者に合わせたクラブスペックとすることで、老若男女を問わず使用できる練習用ゴルフクラブを実現できる。
【００３９】
なお、重量部材３０の中心軸Ｋとホゼル部１５の穴１５ｘの中心軸Ｊの延長線とが同軸上にあり、かつ、ゴルフクラブヘッド２のヘッド重心Ｇ２１と重量部材３０の重心Ｇ１３が何れも中心軸Ｊの延長線上に位置していることが理想である。しかし、重量部材３０の中心軸Ｋとホゼル部１５の穴１５ｘの中心軸Ｊの延長線とが平行であって重量部材３０の中心軸Ｋが領域Ｅ内に位置し、かつ、ゴルフクラブヘッド２のヘッド重心Ｇ２１及び重量部材３０の重心Ｇ１３が何れも領域Ｅ内に位置していればよい。この場合にも、重心距離を概ねゼロにしながらゴルフクラブヘッド２の重量を変えることができるため、上記の効果を得ることができる。
【００４０】
また、ゴルフクラブヘッド２では、重量部材３０の柱状部３２の長さを変えても重量部材３０の中心軸Ｋの位置が変わらないため、互いに重量の異なる複数の重量部材を同一材料により容易に作製することができる。同様に、重量部材３０の頭部３１を、中心軸Ｋを対象軸とする点対称の形状にした場合も、頭部の形状を変えても重量部材３０の中心軸Ｋの位置が変わらないため、頭部３１の厚みや幅の異なる複数の重量部材を同一材料により容易に作製することができる。これにより、比重の小さい金属と体積の小さい重量部材との組合せ及び比重の大きい金属と体積の大きい重量部材との組合せにより、ヘッド重量の選択の幅を広げることができる。
【００４１】
〈第３の実施の形態〉
第３の実施の形態では、重量部材の位置の範囲が第１の実施の形態とは異なる例を示す。なお、第３の実施の形態において、既に説明した実施の形態と同一構成部についての説明は省略する場合がある。
【００４２】
図５は、第３の実施の形態に係るゴルフクラブヘッド３のヘッド重心について説明する図であり、トウ−ヒール方向のヘッド重心の位置を示す図である。なお、フェース−バック方向のヘッド重心の位置は図３（ｂ）と同様であるため、図示は省略する。
【００４３】
図５に示すように、ゴルフクラブヘッド３では、ホゼル部１５の穴１５ｘの中心軸Ｊの延長線が、重量受け部２０に重量部材３０を係合させたときのヘッド重心Ｇ３１と重量部材３０の頭部３１とを通る。なお、ゴルフクラブヘッド３のヘッド重心Ｇ３１が中心軸Ｊの延長線上に位置していることが理想であるが、ゴルフクラブヘッド３のヘッド重心Ｇ３１が領域Ｅ内に位置していればよい。
【００４４】
これにより、シャフトの中心軸とヘッド重心との距離である重心距離を概ねゼロにしながら（すなわち、ヘッド重心をシャフトの中心軸と概ね一致させながら）、ゴルフクラブヘッド３の重量を変えることができる。その結果、ゴルフクラブヘッド３にシャフトを取り付けることにより、ゴルフの初心者にも使いやすいゴルフクラブを実現でき、使用者に合わせたクラブスペックとすることで、老若男女を問わず使用できる練習用ゴルフクラブを実現できる。
【００４５】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００４６】
例えば、図２（ｄ）及び図２（ｅ）に示す重量受け部２０及び重量部材３０の形状は一例であり、重心Ｇ１３の位置が上記の条件を満たせば、如何なる形状であっても構わない。例えば、第１の実施の形態や第２の実施の形態において、重量部材３０を柱状部３２のみから構成することも可能である。例えば、重量部材３０を、柱状部３２の外壁面に雄ねじ３３、柱状部３２の端面に溝３１１が形成された所謂いもねじとすることができる。この場合、重量受け部２０は、例えば、内壁面に雌ねじ２３が形成された第２貫通孔２２のみから構成することができる。
【符号の説明】
【００４７】
１、２、３  ゴルフクラブヘッド
１１  フェース部
１１ｆ  フェース面
１１ｓ  スコアライン
１２  クラウン部
１３  ソール部
１５  ホゼル部
１５ａ  外面
１５ｘ  穴
１８  指標部
２０  重量受け部
２１  第１貫通孔
２２  第２貫通孔
２３  雌ねじ
３０  重量部材
３１  頭部
３２  柱状部
３３  雄ねじ
３１１  溝
【図１】
2019187979.tif 000003
【図２】
2019187979.tif 000004
【図３】
2019187979.tif 000005
【図４】
2019187979.tif 000006
【図５】
2019187979.tif 000007